(57)【要約】【課題】本発明は、熱交換器の送風路上流側に機能部品であるマイナスイオン発生器を配置するのに、何らの不具合も無く容易、かつ確実な取付けを可能として、信頼性の向上を得られる空気調和機の室内機を提供する。【解決手段】室内機本体１内の吸込み通風路１５Ｂ中に、マイナスイオン発生電極３２の針電極ｄを覆う電極ケース３５からなる電極部Ｍａと電源部Ｍｂとを備えたマイナスイオン発生器Ｍを配置し、この通風路上流側にエアフィルタ１６を配置し、この通風路下流側に空気と熱交換作用をなしマイナスイオン発生器の対向電極としてアース電位が印加されマイナスに荷電した塵埃を捕捉し集塵する熱交換器８を配置し、この通風路下流側に送風機１０を配置し、吸込み口と熱交換器との間に固定枠Ｋを備え、上記固定枠は、エアフィルタを支持するエアフィルタ支持部Ｓと、マイナスイオン発生器の電源部を支持する電源支持部２７と、マイナスイオン発生器の電極部を支持する電極支持部２８とを備えた。【選択図】    図１
2010175201.tif 000002
【特許請求の範囲】
【請求項１】
上部に吸込み口、下部に吹出し口を備え、内部に上記吸込み口から吹出し口に連通する通風路を備えた筐体である室内機本体と、
この室内機本体内の通風路中に配置され、空気中に含まれる塵埃をマイナスに荷電するマイナスイオン発生電極である複数の針電極、これら針電極を覆う電極ケースとから構成される電極部および、この電極部と電気的に接続される電源部とからなるマイナスイオン発生器と、
このマイナスイオン発生器の通風路上流側に配置され、空気中に含まれる塵埃を捕捉するエアフィルタと、
上記マイナスイオン発生器の通風路下流側に配置される熱交換器と、
この熱交換器の通風路下流側に配置される送風機と、
上記吸込み口と熱交換器との間に配置され、左右両側部の縦枠と、これら縦枠間に架設される横枠とを備え、縦枠と横枠との間に開口部が形成され、上下端部が室内機本体に取付け固定される固定枠と、を具備し、
上記固定枠は、エアフィルタを支持するエアフィルタ支持部と、マイナスイオン発生器の電源部を支持する電源支持部と、マイナスイオン発生器の電極部を支持する電極支持部とを備えた
ことを特徴とする空気調和機の室内機。
【請求項２】
上記固定枠のエアフィルタ支持部は、エアフィルタの上端部が差込み保持される差込み部と、エアフィルタの左右両側部の挿脱をガイドするガイド部と、エアフィルタの下端部を受ける受け部とを備え、
上記固定枠の電源支持部および電極支持部は、互いに隣接して設けられるとともに、それぞれがマイナスイオン発生器の電源部および電極部を脱着自在に支持することを特徴とする請求項１記載の空気調和機の室内機。
【請求項３】
上記マイナスイオン発生器の電極部は、固定枠に脱着自在に取付けられるカバー体によって、室内機本体の前面側から遮蔽されることを特徴とする請求項１記載の空気調和機の室内機。
【請求項４】
上記カバー体に爪部が設けられ、上記固定枠に掛止部が設けられていて、
固定枠にカバー体を密着させたうえに、カバー体をスライド付勢することで、カバー体の爪部が固定枠の掛止部に掛合し、さらに１本の取付け用具を介してカバー体が固定枠に取付け固定されることを特徴とする請求項３記載の空気調和機の室内機。
【請求項５】
上記カバー体は、上記マイナスイオン発生器の電極部を構成する電極ケースの長手方向および長手方向とは直交する方向と略同一長さの遮蔽板部が設けられるとともに、この遮蔽板部の長手方向に沿って空気流通用の窓部が設けられ、
上記カバー体は、上記遮蔽板部がマイナスイオン発生器の電極ケースと対向するよう取付け固定されることを特徴とする請求項３記載の空気調和機の室内機。
【請求項６】
上記カバー体は、マイナスイオン発生器の電極ケースとの対向面に、沿面距離（マイナスイオン発生器の針電極から電極ケースを介してカバー体の窓部開口端に至るまでの電波漏洩防止用距離）を、より長く確保するための凹凸部を備えたことを特徴とする請求項５記載の空気調和機の室内機。
【発明の詳細な説明】
【技術分野】
【０００１】
本発明は、冷凍サイクルを構成する熱交換器と、マイナスイオン発生器を備えた空気調和機の室内機に係り、特にマイナスイオン発生器に対する支持構造の改良に関する。
【背景技術】
【０００２】
［特許文献１］には、冷凍サイクルを構成する熱交換器の全面に亘って対向するようフィルタを備えた空気調和機が示されている。フィルタは、前面パネルを開いた状態で、空気調和機本体の左右両側部と、その中間部に形成したフィルタ支持レール部に沿ってスライド式に挿入でき、取外し自在に組み込まれている。
【０００３】
そして、フィルタをフィルタ支持レール部に対してスライドし易くするためと、フィルタが熱交換器側へ落ち込まないようにするために、左右のフィルタ支持レール部間に亘る横桟と、この横桟の相互に上下に亘る縦桟とによって、格子状のフィルタ支持枠を構成している。
【０００４】
［特許文献１］には、この他、熱交換器とフィルタとの間である、熱交換器の通風路上流側に近接して、空気清浄フィルタを備えている。前記空気清浄フィルタは、フィルタよりもさらに精度の高い空気浄化作用を行う化学繊維製のフィルタ構成となっている、と記載されているが、特に支持構造についての詳細な説明はない。
【先行技術文献】
【特許文献】
【０００５】
【特許文献１】特開２００６−９０６９４号公報
【発明の概要】
【発明が解決しようとする課題】
【０００６】
空気清浄フィルタの支持構造は、近接して配置される熱交換器に取付け用具を介して取付けると推測される。しかしながら、熱交換器は、熱交換パイプに多数枚の薄肉フィンを狭小間隙で並設してなるものであるから、取付け用具を用いての取付けではフィンの変形を招き易く、熱交換パイプとともに破損の危険が大である。
【０００７】
一方、近時、電気集塵機やマイナスイオン発生器等の機能部品を熱交換器の通風路上流側に、熱交換器に近接して配置した空気調和機の室内機が知られている。これら機能部品は上記空気清浄フィルタと比較して重量が大であるところから、熱交換器に直接取付けるには無理がある。
【０００８】
そこで、熱交換器の風上側に部品取付け用の枠体を配置し、ここに機能部品を取付ければ、機能部品の重量に充分耐え得ることとなる。ただし、前記枠体を熱交換器に直接的もしくは間接的にも固定してはならない。
【０００９】
上述のように、熱交換器はフィンの変形やパイプの破損の虞れがあるうえに、製作誤差も大きい。さらに、冷房運転時や暖房運転時にある程度の収縮変形や膨張変形がともなう。枠体を熱交換器に固定するには、熱交換器の変形に追従できる配慮が必要となるなどの問題が生じる。
【００１０】
本発明は上記事情にもとづきなされたものであり、その目的とするところは、熱交換器の送風路上流側にマイナスイオン発生器を配置するのに、何らの不具合も無く容易、かつ確実な取付けを可能として、信頼性の向上を得られる空気調和機の室内機を提供しようとするものである。
【課題を解決するための手段】
【００１１】
上記目的を満足するため本発明は、筐体である室内機本体の上部に吸込み口、下部に吹出し口、内部に吸込み口から吹出し口に連通する通風路を備え、室内機本体内の通風路中に、空気中に含まれる塵埃をマイナスに荷電するマイナスイオン発生電極である複数の針電極、これら針電極を覆う電極ケースから構成される電極部および電極部と電気的に接続される電源部とからなるマイナスイオン発生器を配置し、このマイナスイオン発生器の通風路上流側に空気中に含まれる塵埃を捕捉するエアフィルタを配置し、マイナスイオン発生器の通風路下流側に熱交換器を配置し、この熱交換器の通風路下流側に送風機を配置し、吸込み口と熱交換器との間に、左右両側部の縦枠とこれら縦枠間に架設される横枠とを備え、縦枠と横枠との間に開口部が形成され上下端部部が室内機本体に取付け固定される固定枠を配置し、さらに固定枠は、エアフィルタを支持するエアフィルタ支持部と、マイナスイオン発生器の電源部を支持する電源支持部と、マイナスイオン発生器の電極部を支持する電極支持部とを備えた。
【発明の効果】
【００１２】
本発明によれば、熱交換器の送風路上流側にマイナスイオン発生器を配置するのに、何らの不具合も無く、容易かつ確実な取付けを可能として、信頼性の向上を得られるという効果を奏する。
【図面の簡単な説明】
【００１３】
【図１】本発明における一実施の形態に係る、空気調和機の室内機の概略縦断面図。
【図２】同実施の形態に係る、室内機の主要構成部品を分解した斜視図。
【図３】同実施の形態に係る、固定枠を室内機本体に取付けた状態を示す斜視図。
【図４】同実施の形態に係る、固定枠に対するマイナスイオン発生器の取付けを示す斜視図。
【図５】同実施の形態に係る、マイナスイオン発生器の分解した斜視図。
【図６】同実施の形態に係る、マイナスイオン発生器の針電極と電極ケースとの関係を示す図。
【図７】同実施の形態に係る、固定枠に取付けられたマイナスイオン発生器の電極部にカバー体を取付ける状態を示す斜視図。
【図８】同実施の形態に係る、マイナスイオン発生器の電極ケースを覆うカバー体の表面側と裏面側の斜視図。
【図９】同実施の形態に係る、カバー体の固定枠に対する取付け構造を説明する図。
【図１０】同実施の形態に係る、マイナスイオン発生器を室内機本体に取付けた状態を示す斜視図。
【図１１】同実施の形態に係る、マイナスイオン発生器と熱交換器の配置関係を示す、一部縦断面図。
【図１２】同実施の形態に係る、マイナスイオン発生器の沿面距離を説明する図。
【図１３】本発明における他の実施の形態に係る、マイナスイオン発生器を室内機本体に取付けた状態で、かつ室内機本体の一側部を示す斜視図。
【発明を実施するための形態】
【００１４】
以下、本発明の実施の形態を、図面にもとづいて説明する。  
図１は空気調和機の室内機に係る概略の側断面図である。（なお、説明中に符号を付していない部品は図示していない。図示しても符号を付していない部品もある。以下同じ）
室内機本体１は、前側筐体を構成する前面パネル２と、後側筐体を構成する後本体３とからなり、上下方向に対して幅方向に横長状に形成される筐体からなる。室内機本体１の前面側一部に前面吸込み口４が開口され、前面吸込み口４に対向する前面パネル２には開閉駆動機構に支持される開閉パネル２Ａが嵌め込まれている。
【００１５】
図１は、冷暖房運転の停止時状態を示していて、開閉パネル２Ａは前面パネル２と同一面となり前面吸込み口４を閉成する。図示しない冷暖房運転時には、開閉パネル２Ａは手前側に突出変位して周囲に室内と連通する隙間を生じ、前面吸込み口４を室内に開放するようになっている。
【００１６】
室内機本体１の上部には上面吸込み口５が開口されていて、この上面吸込み口５には、上面吸込み口５を複数の空間部に仕切る枠状の桟が嵌め込まれる。室内機本体１の前面下部に吹出し口６が開口され、吹出しルーバー７が設けられる。  
上記吹出しルーバー７は、回動姿勢によって吹出し口６を開閉し、かつ運転条件に応じて熱交換空気の吹出し方向を設定する上下ルーバー７ａに、いわゆる左右の首振り運動をなす左右ルーバー７ｂを一体化して組合せたものである。
【００１７】
室内機本体１内には、前側熱交換器部８Ａと後側熱交換器部８Ｂとで略逆Ｖ字状に形成される熱交換器８が配置される。前側熱交換器部８Ａは、前面吸込み口４全体および上面吸込み口５一部と対向するよう湾曲状に形成される。後側熱交換器部８Ｂは、直状で斜めに傾斜し上面吸込み口５一部と対向している。
【００１８】
上記熱交換器８は、図示しない室外機に収容される圧縮機や室外熱交換器などと冷媒管を介して連通されていて、これらで冷凍サイクルが構成される。さらに、熱交換器８は、後述するマイナスイオン発生器Ｍの対向電極として、アース電位が印加されるようになっている。
【００１９】
すなわち、熱交換器８は導電性を有している。具体的には、熱交換器８を構成する前側熱交換器部８Ａと後側熱交換器部８Ｂのフィンは、導電性を持つアルミニュウム材が選択され、マイナスイオン発生器Ｍの対向電極と同電位が印加されるようアース電位に接続されている。
【００２０】
熱交換器８の前後側熱交換器部８Ａ，８Ｂ相互間に、室内送風機１０が配置される。室内送風機１０は、室内機本体１の一側端のスペースに配置されたファンモータと、ファンモータの回転軸に連結される横流ファンとから構成される。横流ファンの軸方向長さは熱交換器８の幅方向長さと同一に設定され、互いに正しく対向するように配置される。
【００２１】
前側熱交換器部８Ａの下端部は前ドレンパン１２ａ上に載り、後側熱交換器部８Ｂの下端部は後ドレンパン１２ｂ上に載る。前、後ドレンパン１２ａ，１２ｂは、それぞれ室内機本体１を構成する後本体３に一体に成形され、熱交換器部８Ａ，８Ｂから滴下するドレン水を受けて図示しない排水ホースを介し屋外へ排水できるようになっている。
【００２２】
前後ドレンパン１２ａ，１２ｂの一部側壁外面は室内送風機１０に近接して設けられ、これらで室内送風機１０の横流ファンに対するノーズを構成している。ノーズとなる前後ドレンパン１２ａ，１２ｂの側壁部分と吹出し口６の各辺部との間は、隔壁部材１４によって連結される。
【００２３】
室内送風機１０を駆動することにより、隔壁部材１４で囲まれる空間が、ノーズと吹出し口９とを連通する吹出し通風路１５Ａとなる。これに対して、前面吸込み口４および上面吸込み口５から熱交換器８に至る間に、吸込み通風路１５Ｂが形成されることになる。
【００２４】
一方、前面パネル２と熱交換器８との間に後述する固定枠Ｋが取付けられていて、この固定枠Ｋにエアフィルタ１６が脱着自在に支持される。エアフィルタ１６は通常の網目状のものであり、ここでは左右２枚のエアフィルタ１６が並んだ状態で取付けられる。
【００２５】
なお説明すると、各エアフィルタ１６の下端部は、固定枠Ｋの下端部に沿って設けられる受け部Ｓａに収容され、受け部Ｓａは熱交換器８を構成する前側熱交換器部８Ａの下端部前方に位置する。固定枠Ｋは前側熱交換器部８Ａの前面と間隙を存して曲成され、エアフィルタ１６も前側熱交換器部８Ａの前面に沿って曲成した状態で支持される。
【００２６】
さらに固定枠Ｋは、熱交換器８を構成する後側熱交換器部８Ｂの上面に間隙を存して対向するよう曲成され、エアフィルタ１６も後側熱交換器部８Ｂの上面に間隙を存して対向するよう曲成した状態で支持される。
【００２７】
エアフィルタ１６の上端部は、固定枠Ｋの上端部に沿って設けられる差込み部Ｓｂに差し込まれていて、差込み部Ｓｂは後側熱交換器部８Ｂの下端部上方に位置する。このように、エアフィルタ１６は固定枠Ｋに支持されて、前面吸込み口４および上面吸込み口５と、熱交換器８を構成する前側熱交換器部８Ａと後側熱交換器部８Ｂとの間に介在する。
【００２８】
固定枠Ｋは機能部品であるマイナスイオン発生器Ｍを、後述するように支持する。マイナスイオン発生器Ｍは、熱交換器８を構成する前側熱交換器部８Ａの下部前方に間隙を存して配置されていて、上記吸込み通風路１５Ｂ中で、熱交換器８とは通風路上流側に位置する。  
これに対して上記エアフィルタ１６は、マイナスイオン発生器Ｍの吸込み通風路１５Ｂ上流側に位置している。そして、熱交換器８は、マイナスイオン発生器Ｍの吸込み通風路１５Ｂ下流側に配置されることとなる。
【００２９】
つぎに、固定枠Ｋ自体の構造と、固定枠Ｋの室内機本体１における組立て構造と、固定枠Ｋに対するマイナスイオン発生器Ｍの取付け構造について、図１および図２にもとづいて詳細に説明する。  
図２は、前面パネル２を取外した後本体３に対して熱交換器８や室内送風機１０および吹出しルーバー７などを取付け組立てた組立て体Ａと、固定枠Ｋと、エアフィルタ１６とを分解して示す斜視図である。
【００３０】
後本体３の上端部は、熱交換器８の上端部である前側熱交換器部８Ａと後側熱交換器部８Ｂの合せ部よりも、上方へ突出している。この後本体３の上端部には、所定の間隔を存して複数の孔部もしくはねじ孔からなる後取付け部ａが設けられる。
【００３１】
後本体３に一体成形される前ドレンパン１２ａに前側熱交換器部８Ａの下端部が載り、前ドレンパン１２ａの下方部位に沿って吹出し口６が開口する。前ドレンパン１２ａの下端縁と吹出し口６の上端縁との間には板面３ａが形成されていて、この板面３ａに所定の間隔を存して複数の孔部もしくはねじ孔からなる前取付け部ｂが設けられる。
【００３２】
上記固定枠Ｋは、後本体３上端部の左右幅方向長さと略同長の上部横枠１７と、前側熱交換器部８Ａ下端の左右幅方向長さと略同長の下部横枠１８と、図の左側部に設けられる第１の縦枠１９と、略中央部に設けられる第２の縦枠２０と、右側部に設けられる第３の縦枠２１の、合計３本の縦枠を備え、これら枠体相互間に開口部が形成される。
【００３３】
固定枠Ｋの上部横枠１７において、上記後本体３に設けられる後取付け部ａと対向する部位に、爪部もしくは取付け用孔からなる固定枠上取付け部２３ａが設けられる。下部横枠１８において、前取付け部ｂと対向する部位に、爪部もしくは取付け用孔からなる固定枠下取付け部２３ｂが設けられる。
【００３４】
固定枠Ｋを構成する第１の縦枠１９は、上部横枠１７から下部横枠１８に亘って、これらを連結する。第２の縦枠２０および第３の縦枠２１は、上部横枠１７から、上部横枠１７と下部横枠１８との間まで延出され、この端縁と下部横枠１８との間は欠落状態にある。
【００３５】
第１、第３縦枠１９，２１の内側の端縁と、第２の縦枠２０の左右両側端縁に沿って、湾曲成したガイド片（ガイド部）Ｓｃが設けられている。これらガイド片Ｓｃが存在することで、第１の縦枠１９と第２の縦枠２０との間に１枚のエアフィルタ１６をガイドでき、第２の縦枠２０と第３の縦枠２１との間に１枚のエアフィルタ１６をガイドできる。
【００３６】
上述したように、固定枠Ｋの下部横枠１８には受け部Ｓａが設けられ、上部横枠１７に差込み部Ｓｂが設けられ、第１〜第３の縦枠１９〜２１にはガイド片Ｓｃが設けられる。これら受け部Ｓａと、差込み部Ｓｂと、ガイド片Ｓｃとで、エアフィルタ支持部Ｓが構成される。
【００３７】
上記エアフィルタ支持部Ｓの構成により、前面パネル２を開放し、エアフィルタ１６の両側部をガイド片Ｓｃに沿って挿入し、エアフィルタ１６の上端部を差込み部Ｓｂに差込み、下端部を受け部Ｓａに挿入すれば、エアフィルタ１６を室内機本体１内の固定枠Ｋに取付けられる。
【００３８】
エアフィルタ１６に対するメンテナンス時には、前面パネル２を開放した状態で、エアフィルタ１６の下端部を受け部Ｓａから取外し、そのまま引出せばよい。エアフィルタ１６の上端部は差込み部Ｓｂから抜け出て、両側部はガイド片Ｓｃにガイドされ、室内機本体１から抜き出せる。
【００３９】
さらに、第１の縦枠１９中間部位と、第２の縦枠２０先端部と、第３の縦枠２１先端部手前部位に亘り、下部横枠１８と間隔を存して並行に、大小の格子を組合せた桟部２４が設けられる。桟部２４の右側端部と第３の縦枠２１は横板部２５で連結され、桟部２４の右側端部と下部横枠１８は縦板部２６で連結される。
【００４０】
したがって、桟部２４と横板部２５および縦板部２６は、第１〜第３の縦枠１９〜２１相互および下部横枠１８を連結して、固定枠Ｋの剛性を保持する。そして、桟部２４および横枠２５と下部横枠１８との間の開口部に、上記マイナスイオン発生器Ｍを支持するようになっている。
【００４１】
なお説明すると、第３の縦枠２１先端と下部横枠１８端部とを結ぶ位置と、横板部２５と、桟部２４の右側面および縦板部２６と、縦板部２６から下部横枠１８先端に囲まれる開口部が、電源支持部２７となっている。この電源支持部２７を形成する横板部２５と下部横枠１８一部のそれぞれには、掛止用孔が設けられる。
【００４２】
さらに、縦板部２６と、桟部２４下端面から下部横枠１８に至る第１の縦枠１９一部と、縦板部２６から第１の縦枠１９一部間に亘る桟部２４下端面と、縦板部２６から第１の縦枠１９下端部に亘る下部横枠１８とに囲まれる開口部が、電極支持部２８となっている。
【００４３】
上記電極支持部２８において、第１の縦枠１９一部と並行に第１の支持用板部２９ａが設けられるとともに、第２の縦枠２０先端近傍の桟部２４部位と下部横枠１８との間に亘って第２の支持用板部２９ｂが設けられる。
【００４４】
さらに、電極支持部２８において、桟部２４の下端部と下部横枠１８の対向する部位に、所定間隔を存して複数の掛止部３０が設けられる。これら掛止部３０は、ここでは図の左側部が開放する切欠部によりコ字状に形成される引掛け片からなる。
【００４５】
以上のように構成される固定枠Ｋは、図３に示すように室内機本体１を構成する後本体３に組み込まれる。  
すなわち、後本体３に熱交換器８や吹出しルーバー７および室内送風機１０を装着した組立て体Ａに対して固定枠Ｋを位置合せする。具体的には、後本体３の上端部および吹出し口６上部の板面３ａに、固定枠Ｋの上部横枠１７および下部横枠１８を対向し、後本体３の左側部と固定枠Ｋの第１の縦枠１９とを対向する。
【００４６】
必然的に、後本体３の上端部に設けられる後取付け部ａに、上部横枠１７に設けられる固定枠上取付け部２３ａが対向し、後本体３の板面３ａに設けられる前取付け部ｂに、下部横枠１８に設けられる固定枠下取付け部２３ｂが対向する。
【００４７】
そこで、固定枠上取付け部２３ａと前取付け部ａを取付け固定し、固定枠下取付け部２３ｂと後取付け部ｂを取付け固定することにより、後本体３に固定枠Ｋが取付け固定される。図３に示す丸印が、後本体３に固定枠Ｋを取付け固定した部位である。  
なお、エアフィルタ１６の取付けは、後述するようにマイナスイオン発生器Ｍを固定枠Ｋに取付けた後の作業となる。
【００４８】
図４は、後本体３に固定枠Ｋを取付けた後の、マイナスイオン発生器Ｍの取付け説明図であり、図５はマイナスイオン発生器Ｍの分解斜視図である。  
はじめにマイナスイオン発生器Ｍから説明すると、マイナスイオン発生器Ｍは、電極部Ｍａと、この電極部Ｍａと連結し電気的に接続される電源部Ｍｂとから構成される。
【００４９】
上記電極部Ｍａは、マイナスイオン発生電極３２と、針金状のアース電極である対向電極３３（図１にのみ示す）を備えていて、これらマイナスイオン発生電極３２および対向電極３３が電極ケース３５に取付けられることで構成される。
【００５０】
図５では、電極ケース３５からマイナスイオン発生電極３２を取外した状態で示している。前記対向電極３３は電極ケース３５に取付けられていて、さらに押えカバーにより電極ケース３５に押え付けられている。したがって、対向電極３３は押えカバーで遮蔽され、ここでは図示していない。
【００５１】
前記マイナスイオン発生電極３２は長手方向に沿い所定間隔を存して、複数本の針電極ｄが長手方向とは直交する方向に突設されている。対向電極３３はたとえば針金状のものが用いられていて、マイナスイオン発生電極３２と同じ全長であり、両側端部のみが電極ケース３５に取付け支持される。
【００５２】
押えカバーは対向電極３３を電極ケース３５に押え付け、対向電極３３の弛みなどの変形を規制する。特に、マイナスイオン発生電極３２に高電圧がかかるので、電極ケース３５と押えカバーは難燃性樹脂であるＡＢＳ樹脂で構成する。  
電極ケース３５は強度を保持し、マイナスイオン発生電極３２からマイナスイオンを効率よく放出できるよう縦格子状（鉤状）に形成される。すなわち、電極ケース３５は、上記針電極ｄと相互に所定の間隔で設けられる複数の縦格子ｈを備えている。
【００５３】
マイナスイオン発生電極３２と対向電極３３が電極ケース３５に取付けられてなる電極部Ｍａの端部が、電源部Ｍｂ側面に突設される接続部３６に挿入し嵌合することで、電極部Ｍａと電源部Ｍｂとが電気的に接続され、マイナスイオン発生器Ｍが組立てられる。
【００５４】
図４に示すように、マイナスイオン発生器Ｍを組立て体Ａに取付けられた固定枠Ｋに対向する。具体的には、マイナスイオン発生器Ｍの電極部Ｍａを固定枠Ｋの電極支持部２８に対向させ、電源部Ｍｂを電源支持部２７に対向させる。
【００５５】
したがって、電源部Ｍｂの上端部と下端部に一体に突設された爪部ｅが、電源支持部２７に設けられる掛止用孔に対向する。電極部Ｍａの先端部ｆが第１の縦枠１９と並行に設けられる第１の支持用板部２９ａに対向し、電極部Ｍａの中間部ｇが第２の縦枠２０先端近傍に設けられる第２の支持用板部２９ｂに対向する。
【００５６】
この状態を保持してマイナスイオン発生器Ｍを押し込むと、電源部Ｍｂに設けられる爪部ｅが電源支持部２７の掛止用孔に掛合する。同時に、電極部Ｍａの先端部ｆが電極支持部２８の第１の支持用板部２９ａに嵌め込まれるとともに、電極部Ｍａの中間部ｇが第２の支持用板部２９ｂに嵌め込まれる。
【００５７】
電源部Ｍｂは電源支持部２７に支持され、電極部Ｍａは電極支持部２８に支持されて、マイナスイオン発生器Ｍ全体が固定枠Ｋに支持される。単純な、掛合構造の支持であるので、マイナスイオン発生器Ｍを強引に引っ張り付勢すれば、固定枠Ｋから取外しできるが、運搬上の振動などの影響を受けることはなく、確実な取付けを保証できる。
【００５８】
マイナスイオン発生器Ｍにおける電極部Ｍａを組立てた状態で、マイナスイオン発生電極３２と電極ケース３５との関係は図６に示すようになる。  
すなわち、電極ケース３５がマイナスイオン発生電極３２の前面側にあって、電極ケース３５を構成する縦格子ｈの相互間から、マイナスイオン発生電極３２を構成する針電極ｄの先端が突出する。
【００５９】
実際には、縦格子ｈ相互間の寸法Ｌａが５〜１２ｍｍに設計され、縦格子ｈ先端から針電極ｄ先端までの寸法Ｌｂが７〜１５ｍｍに設計されている。したがって、電極ケース３５側から縦格子ｈ相互間に手指を挿入することはできないし、縦格子ｈ相互間に突出する針電極ｄの先端に手指を接触させることは不可能である。
【００６０】
換言すれば、マイナスイオン発生器Ｍを固定枠Ｋに対して取付けする作業をなすとき、あるいは取外し作業をなすときに、作業者の手指が針電極ｄに接触することを確実に防止して、安全性が確保される。しかも、縦格子ｈの相互間から針電極ｄ先端が突出して、マイナスイオンの発生効率が充分に確保されている。
【００６１】
図７は、マイナスイオン発生器Ｍを構成する電極部Ｍａの前面にカバー体４０を取付ける説明図である。  
上述したように、マイナスイオン発生電極３２を構成する針電極ｄの前面側に電極ケース３５が取付けられて安全性を確保しているが、そのままの状態では電極ケース３５から針電極ｄの先端が突出して見える。前面パネル２を開放してマイナスイオン発生器Ｍが見えたとき、針電極ｄに対して万が一の好奇心を誘うことも考えなければならない。
【００６２】
この室内機では、固定枠Ｋにカバー体４０を取付け、マイナスイオン発生器Ｍの電極部Ｍａ全体をカバー体４０で室内機本体１の前面側から覆うことにより、針電極ｄを完全に遮蔽する。勿論、カバー体４０の取付けにともないマイナスイオンの発生効率が損なわれないように、後述する構成となっている。
【００６３】
図８（Ａ）はカバー体４０の表面側の斜視図であり、図８（Ｂ）はカバー体４０の裏面側の斜視図である。  
カバー体４０の上下縦方向寸法は短く、左右幅方向寸法は縦方向寸法に対して極端に長い横長状の板片からなる。縦方向寸法は、固定枠Ｋの桟部２４下端面から下部横枠１８までの寸法と一致し、幅方向寸法は第１の縦枠１９から固定枠Ｋの電源支持部２７に取付けられているマイナスイオン発生器Ｍの電源部Ｍｂ左側面までの間隔と一致する。
【００６４】
すなわち、カバー体４０は電極支持部２８の開口寸法と一致する。マイナスイオン発生器Ｍを固定枠Ｋに取付けた状態で、電極部Ｍａの前面側に開口する、桟部２４下端面と下部横枠１８との間と、第１の縦枠２９と電源部Ｍｂ左側面との間の開口部に、カバー体４０を嵌め込み可能な寸法形状をなす。
【００６５】
カバー体４０の表面側で、この左右幅方向の略中間部に上下端に亘って補強用のリブｊが設けられる。カバー体４０の裏面側で、この上端縁と下端縁から所定の距離を置いた位置に、左右幅方向全長に亘って後述する凹凸部ｎが設けられる。  
カバー体４０裏面側のそれぞれの凹凸部ｎから上端縁と下端縁との間に、複数の矩形状の孔部が縦横整然と並んで開口する窓部４１が設けられる。それぞれの凹凸部ｎ相互間は、板状部分がそのまま残された遮蔽板部４２となっている。
【００６６】
なお、上記遮蔽板部４２の縦方向寸法は、電極部Ｍａの縦方向寸法と同一になるよう設計されている。遮蔽板部４２の幅方向寸法はカバー体４０の幅方向寸法であり、電極部Ｍａの幅方向寸法と一致する。したがって、後述するようにカバー体４０を電極支持部２８に嵌め込むと、遮蔽板部４２は電極部Ｍａと完全に対向する。
【００６７】
カバー体４０裏面側で窓部４１における孔部相互間には、複数の爪部４３が所定間隔を存して設けられる。これら爪部４３は、固定枠Ｋの電極支持部２８を構成する桟部２４下端面と下部横枠１８に設けられる掛止部３０と対向する位置に設けられていて、カバー体４０の板面から側方に向け鉤状に突出する。
【００６８】
カバー体４０の遮蔽板部４２で、この一側部に１つの取付け用孔４４が設けられる。この取付け用孔４４は、第１の支持用板部２９ａに設けられるねじ孔と対向する位置に設けられる。さらに、カバー体４０の端縁には、第１の支持用板部２９ａに設けられる掛合孔と掛合する片部が設けられる。
【００６９】
再び図７に示すように、固定枠Ｋに取付けられたマイナスイオン発生器Ｍの電極部Ｍａにカバー体４０を対向し、固定枠Ｋの電極支持部２８に密着する。正しくは、カバー体４０を電極支持部２８の幅方向にわずかにずらした位置に密着し、そのあと、カバー体４０の裏面に設けられる爪部４３の突出方向に、カバー体４０をスライド付勢する。
【００７０】
図９に示すように、カバー体４０をわずかにずらせて電極支持部２８に密着させた状態では、カバー体４０裏面の、二点鎖線で示す爪部４３が電極支持部２８の掛止部３０とは外れた位置にあるが、カバー体４０を爪部４３の突出方向にスライド付勢することで、実線で示すように爪部４３が掛止部３０に嵌り込む。
【００７１】
カバー体４０の複数の爪部４３は同時に複数の掛止部３０に嵌り込み、カバー体４０は固定枠Ｋに支持される。この状態で、カバー体４０を３０Ｎ・ｍの力で引いても、固定枠Ｋとカバー体４０との間に、ＩＥＣ規格で定められた試験指が入る隙間ができない間隔で上記爪部４３が設けられている。
【００７２】
さらに、カバー体４０の取付け用孔４４に固定ねじを挿入し、第１の支持用板部２９ａのねじ孔に螺挿する。したがって、カバー体４０を固定枠Ｋに簡単、かつ確実に取付け固定できる。また、工具無しではカバー体４０を固定枠Ｋから取外しできないので、より安全性を高められる。
【００７３】
図１０は、カバー体４０を固定枠Ｋの電極支持部２８に取付けて、マイナスイオン発生器Ｍの電極部Ｍａを遮蔽した状態を示す図である。  
上記カバー体４０を電極支持部２８に取付けることにより、前面パネル２を開放してもマイナスイオン発生器Ｍの電源部Ｍｂのみが露出し、電極部Ｍａはカバー体４０に遮蔽されて見ることができない。
【００７４】
先に図６で説明したように、電極ケース３５を構成する縦格子ｈ相互間からマイナスイオン発生電極３２を構成する針電極ｄの先端が突出する状態を確認できなくなる。その結果、故意に針電極ｄに接触しようとする意識が発生せず、安全性が確保される。  
また、実際の冷凍サイクル運転にともないマイナスイオン発生器Ｍからマイナスイオンが発生するが、上記カバー体４０はマイナスイオンの発生効率を損なうことのない構造となっている。
【００７５】
すなわち、カバー体４０を電極支持部２８に嵌め込むと、遮蔽板部４２は電極部Ｍａと完全に対向する。遮蔽板部４２の上端部と下端部には、遮蔽板部４２の全長に亘って窓部４１が設けられ、室内空気は窓部４１を円滑に流通する。マイナスイオン発生器Ｍから発生するマイナスイオンは窓部４１を流通する空気を確実に荷電する。
【００７６】
図１１は、熱交換器８を構成する前側熱交換器部８Ａと、マイナスイオン発生器Ｍの電極部Ｍａとの位置関係を説明する図である。  
上述したように前側熱交換器部８Ａは側面視で湾曲成されていて、最も突出する部位と間隙を存した位置に固定枠１３の電極支持部２８が設けられ、ここにマイナスイオン発生器Ｍの電極部Ｍａが支持される。さらに、電極部Ｍａの前面側にはカバー体４０が設けられ、図示しない前面パネル２を取外しても電極部Ｍａは露出しない。
【００７７】
固定枠Ｋは後本体３に取付けられているが、電極支持部２８が前側熱交換器部８Ａに接触しないように設計されている。すなわち、電極支持部２８に支持されるマイナスイオン発生器Ｍの電極部Ｍａは、前側熱交換器部８Ａと所定の距離を存して配置されることになる。
【００７８】
マイナスイオン発生器Ｍと熱交換器８の距離にバラツキがあると、マイナスイオンの発生量もばらついてしまい、性能を発揮できなくなる。その点、上記構成ではマイナスイオン発生器Ｍと熱交換器８との距離が一定に保持されるので、マイナスイオンが常に一定の発生量となって充分な性能を発揮できる。
【００７９】
図１２は、マイナスイオン発生器Ｍからカバー体４０に至る沿面距離Ｅを説明する図である。  
上記沿面距離Ｅとは、法律に定められた電波漏洩防止用距離であって、図に破線で示すように、マイナスイオン発生器Ｍの針電極ｄから電極ケース３５を介してカバー体４０の窓部４１における開口端に至るまでの距離（たとえば、３６ｍｍ）である。
【００８０】
カバー体４０はマイナスイオン発生器Ｍの電極ケース３５との対向面である裏面側に、かつ窓部４１と遮蔽板部４２との間に沿って上記凹凸部ｎを備えていて、沿面距離Ｅは凹凸部ｎの断面形状に応じて長く確保される。
【００８１】
マイナスイオン発生器Ｍは熱交換器８の吸込み通風路１５Ｂ上流側に配置され、マイナスイオン発生器Ｍの電極部Ｍａ前面側はカバー体４０によって覆われる。したがって、カバー体４０は熱交換器８に導かれる空気の流路を妨げることが避けられず、可能な限り小面積として熱交換器８の熱交換効率を妨げないようにする必要がある。  
カバー体４０に凹凸部ｎを設けて沿面距離Ｅをより長くとることで、カバー体４０の窓部４１開口端位置を狭めることができ、その分空気の流路面積の拡大化を図れる。すなわち、熱交換器８の熱交換効率の向上化に繋げられる。
【００８２】
つぎに、このようにして構成される空気調和機の室内機における作用について説明する。  
リモコン（遠隔操作盤）の運転ボタンを押圧操作すると、室内送風機１０が駆動されるとともに、マイナスイオン発生器Ｍに通電される。さらに、室内機と冷媒管を介して連通する室外機において圧縮機が駆動され、冷凍サイクル運転が開始される。
【００８３】
室内空気は前面吸込み口４および上面吸込み口５から室内機本体１内に吸込まれ、吸込み通風路１５Ｂに沿って導かれて、エアフィルタ１６を通過する。このとき、室内空気中に含まれる塵埃がエアフィルタ１６に捕捉される。
【００８４】
塵埃が除去された室内空気に対しマイナスイオン発生器Ｍから発生するマイナスイオンの作用により、より微細な塵埃が電気的に集塵され、かつ脱臭される。清浄化した室内空気は熱交換器８を流通し、ここで冷媒と熱交換する。熱交換した空気は吹出し通風路１５Ａに導かれ、吹出し口６から吹出しルーバー７に案内されて室内へ吹出され、効率のよい空調運転を継続する。
【００８５】
つぎに、上記マイナスイオン発生器Ｍの作用について詳述する。  
針電極ｄを備えたマイナスイオン発生電極３２にマイナスの高電位をかけることで、マイナスイオンが発生する。実際には、マイナスイオン発生電極３２に対して、−４〜−８ＮＶ程度の電位をかけると、最も効率的にマイナスイオンを放出する。
【００８６】
吸込み通風路１５Ｂに配置されるマイナスイオン発生器Ｍで発生したマイナスイオンは、エアフィルタ１６で捕捉された塵埃と、捕捉されずに通過しようとしている塵埃および、熱交換器８に到達している塵埃など、吸込み通風路１５Ｂに存在している全ての塵埃を効率よくマイナスに荷電する。
【００８７】
その一方で、熱交換器８には対向電極３３と同じアース電位がかけられているので、熱交換器８においてマイナスに荷電した塵埃を捕捉し集塵する。集塵作用を熱交換器８でも行うところから、極めて高い集塵効果を得られる。
【００８８】
針電極ｄを備えたマイナスイオン発生電極３２が熱交換器８に近づいて配置されるため、放電電流が増大して集塵効率が向上する。マイナスイオン発生器Ｍをエアフィルタ１６と熱交換器８との間に配置しているので、マイナスイオン発生電極３２および対向電極３３に綿ホコリなどの大きな塵埃が付着するのを防止できる。
【００８９】
上記熱交換器８で捕捉されない荷電粒子は、熱交換器８を通過した直後に室内送風機１０の横流ファンに衝突し、よって荷電粒子は消滅する。そのため、吹出し通風路１５Ａを介して吹出し口６からマイナスイオンに荷電した粒子が放出されることはなく、壁汚れ等の防止を図れる。
【００９０】
なお、熱交換器８に付着している塵埃は、熱交換器８に対する防汚処理によって自然的に除去される。塵埃は結露水とともに前ドレンパン１２ａもしくは後ドレンパン１２ｂに流下し、ドレンホースを介して屋外へ排出される。したがって、熱交換器８に付着した塵埃を除去するのに何らの手間もかからない。
【００９１】
結局、吸込み通風路１５Ｂに導かれる室内空気に含まれる塵埃を効率よく捕捉し集塵しながら、集塵した塵埃をユーザーとして何らの処置を行う必要もなく自動的に処理される。いわゆるメンテナンスフリーとなって、ユーザー手間の軽減化を得られる。  
なお、エアフィルタ１６においても熱交換器８と同様、対向電極３３と同電位とした導電性を持つ処理をなしてもよい。
【００９２】
また、図１３に示すように、固定枠Ｋａを構成する第１の縦枠１９Ａと、ここでは図示しない第３の縦枠は、後本体３に取付けた状態で熱交換器８に密着し、隙間が無い状態とするとよい。
【００９３】
このことにより、エアフィルタ１６を通過しない空気が、図に破線矢印に示すように熱交換器８の両側部から侵入しようとしても、熱交換器８と第１の縦枠１９Ａおよび第３の縦枠との間に隙間が存在しないので、侵入は不可能となる。エアフィルタ１６を通過して塵埃が捕捉された清浄な空気だけが、図に実線矢印に示すように、熱交換器８の前面および上面から通過し熱交換して清浄度の向上を得られる。
【００９４】
さらに、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【符号の説明】
【００９５】
４…前面吸込み口、５…上面吸込み口、６…吹出し口、１…室内機本体、１５Ｂ…吸込み通風路、３２…マイナスイオン発生電極、ｄ…針電極、３５…電極ケース、Ｍａ…電極部、Ｍｂ…電源部、Ｍ…マイナスイオン発生器、１６…エアフィルタ、３３…対向電極、８…熱交換器、１５Ａ…吹出し通風路、１０…室内送風機、１９…第１の縦枠、２１…第３の縦枠、１７…上部横枠、１８…下部横枠、Ｋ…固定枠、Ｓ…エアフィルタ支持部、２７…電源支持部、２８…電極支持部、Ｓｂ…差込み部、Ｓｃ…ガイド片（ガイド部）、Ｓａ…受け部、４０…カバー体、４３…爪部、３０…掛止部、４２…遮蔽板部、４１…窓部、Ｅ…沿面距離、ｎ…凹凸部。
【図１】
2010175201.tif 000003
【図２】
2010175201.tif 000004
【図３】
2010175201.tif 000005
【図４】
2010175201.tif 000006
【図５】
2010175201.tif 000007
【図６】
2010175201.tif 000008
【図７】
2010175201.tif 000009
【図８】
2010175201.tif 000010
【図９】
2010175201.tif 000011
【図１０】
2010175201.tif 000012
【図１１】
2010175201.tif 000013
【図１２】
2010175201.tif 000014
【図１３】
2010175201.tif 000015